【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向け遊技球が打ち込まれる遊技盤と、
前記遊技盤の遊技領域に配置され、遊技球が入賞可能な始動口と、
前記始動口に遊技球が入賞したことを検出する始動検出手段と、
前記遊技領域に配置され、閉状態と開状態とを変化可能となっており、前記閉状態から前記開状態に変化させられることで遊技球が入賞可能となる開閉装置と、
前記開閉装置に遊技球が入賞したことを検出する入賞検出手段と、
少なくとも装飾図柄の変動表示を含む演出表示を行うための演出画像表示手段と、
少なくとも前記変動表示のパターンである複数の変動パターンを記憶する変動情報記憶手段と、
前記始動検出手段による遊技球の検出に基づいて抽選を行う抽選手段、
前記変動情報記憶手段から読み出されて送出される変動パターンに基づき、前記演出画像表示手段に前記装飾図柄の変動表示を行い、前記抽選手段による抽選結果に基づいて前記装飾図柄の停止表示を行う演出画像表示制御手段、
前記抽選手段による抽選に当選したことに基づき、前記開閉装置の開閉動作を行い、遊技者に遊技価値を付与可能な大当たり遊技を実行する大当たり遊技実行手段、
および
前記抽選手段による前記大当たり遊技の抽選とは別の抽選に当選したことに基づき、前記開閉装置の開閉動作を行い、遊技者に遊技価値を付与可能な小当たり遊技を実行する小当たり遊技実行手段、を少なくとも有する遊技制御手段と、
を備えた遊技機であって、
前記大当たり実行手段は、少なくとも、遊技球が十分に入賞可能な態様で前記開閉装置の開閉動作を行う長当たり遊技を実行する長当たり遊技実行手段と、遊技球が十分には入賞し難い態様で前記開閉装置の開閉動作を行う短当たり遊技を実行する短当たり遊技実行手段とを有し、
前記遊技制御手段は、
前記大当たり遊技実行手段による前記大当たり遊技の実行を決定するための抽選に係る遊技状態として、相対的に高い当選確率で抽選を行う高確率抽選遊技状態、又は、相対的に低い当選確率で抽選を行う低確率抽選遊技状態に制御可能な遊技状態制御手段を含み、
前記遊技状態制御手段によって、前記短当たり遊技実行手段による前記短当たり遊技の終了後には前記短当たり遊技に当選する前の遊技状態にかかわらず前記高確率抽選遊技状態に制御し、前記小当たり遊技実行手段による前記小当たり遊技の終了後には前記小当たり遊技に当選する前の遊技状態に制御するものであり、
前記短当たり遊技実行手段による前記短当たり遊技と前記小当たり遊技実行手段による前記小当たり遊技とを同様の態様で行うと共に、前記遊技状態が前記高確率抽選遊技状態であるか、あるいは、前記低確率抽選遊技状態であるかを遊技者に察知され難い察知難状態を導出可能に構成されており、
前記低確率抽選遊技状態であることを相対的に高い割合で示す普通演出、及び、前記高確率抽選遊技状態であることを相対的に高い割合で示す特殊演出を記憶する演出記憶手段と、
前記演出記憶手段に記憶された前記特殊演出を実行するか否かを決定可能で、前記高確率抽選遊技状態である場合には前記低確率抽選遊技状態である場合よりも高い割合で、前記特殊演出の実行を決定する特殊演出決定手段と、
前記短当たり遊技実行手段による前記短当たり遊技、又は、前記小当たり遊技実行手段による前記小当たり遊技において前記開閉装置へ入賞した遊技球である入賞球を案内する案内通路と、
該案内通路にて案内される前記入賞球を保留する保留手段と、
該保留手段に保留された前記入賞球を用い、前記特殊演出の実行契機となる契機演出を実行する契機演出実行手段と、
前記特殊演出決定手段にて前記特殊演出を実行する旨が決定されると、前記契機演出実行手段にて前記契機演出を実行し、当該契機演出を実行契機として前記特殊演出を実行する特殊演出履行手段と、
前記特殊演出決定手段にて前記特殊演出を実行しない旨が決定されると、前記契機演出実行手段にて契機演出のみを実行し、前記特殊演出を実行することなく前記普通演出とする特殊演出不履行手段と、
を備え、
前記特殊演出履行手段は、
前記遊技状態が前記高確率抽選遊技状態であるにもかかわらず前記特殊演出不履行手段にて前記普通演出とされた場合、前記特殊演出決定手段とは別に前記特殊演出を実行するか否かを決定し、前記特殊演出の実行に係る特殊演出実行条件が成立したか否かを判定し、当該特殊演出実行条件が成立すると前記特殊演出を実行する特殊演出再判定実行手段を有する
ことを特徴とする遊技機。
【請求項２】
前記特殊演出再判定実行手段は、前記特殊演出を実行するか否かを、所定確率で決定することを特徴とする
ことを特徴とする請求項１に記載の遊技機。
【請求項３】
前記特殊演出再判定実行手段は、前記変動情報記憶手段から特定の変動パターンが送出され、かつ、所定の突入条件が成立すると、前記特殊演出実行条件が成立したと判定する
ことを特徴とする請求項２に記載の遊技機。
【手続補正２】
【補正対象書類名】明細書
【補正対象項目名】００１０
【補正方法】変更
【補正の内容】
【００１０】
前記課題を解決するための本発明に係る遊技機は、遊技領域が形成され、当該遊技領域に向け遊技球が打ち込まれる遊技盤と、前記遊技盤の遊技領域に配置され、遊技球が入賞可能な始動口と、前記始動口に遊技球が入賞したことを検出する始動検出手段と、前記遊技領域に配置され、閉状態と開状態とを変化可能となっており、前記閉状態から前記開状態に変化させられることで遊技球が入賞可能となる開閉装置と、前記開閉装置に遊技球が入賞したことを検出する入賞検出手段と、少なくとも装飾図柄の変動表示を含む演出表示を行うための演出画像表示手段と、少なくとも前記変動表示のパターンである複数の変動パターンを記憶する変動情報記憶手段と、前記始動検出手段による遊技球の検出に基づいて抽選を行う抽選手段、前記変動情報記憶手段から読み出されて送出される変動パターンに基づき、前記演出画像表示手段に前記装飾図柄の変動表示を行い、前記抽選手段による抽選結果に基づいて前記装飾図柄の停止表示を行う演出画像表示制御手段、前記抽選手段による抽選に当選したことに基づき、前記開閉装置の開閉動作を行い、遊技者に遊技価値を付与可能な大当たり遊技を実行する大当たり遊技実行手段、および前記抽選手段による前記大当たり遊技の抽選とは別の抽選に当選したことに基づき、前記開閉装置の開閉動作を行い、遊技者に遊技価値を付与可能な小当たり遊技を実行する小当たり遊技実行手段、を少なくとも有する遊技制御手段と、を備えた遊技機であって、前記大当たり実行手段は、少なくとも、遊技球が十分に入賞可能な態様で前記開閉装置の開閉動作を行う長当たり遊技を実行する長当たり遊技実行手段と、遊技球が十分には入賞し難い態様で前記開閉装置の開閉動作を行う短当たり遊技を実行する短当たり遊技実行手段とを有し、前記遊技制御手段は、前記大当たり遊技実行手段による前記大当たり遊技の実行を決定するための抽選に係る遊技状態として、相対的に高い当選確率で抽選を行う高確率抽選遊技状態、又は、相対的に低い当選確率で抽選を行う低確率抽選遊技状態に制御可能な遊技状態制御手段を含み、前記遊技状態制御手段によって、前記短当たり遊技実行手段による前記短当たり遊技の終了後には前記短当たり遊技に当選する前の遊技状態にかかわらず前記高確率抽選遊技状態に制御し、前記小当たり遊技実行手段による前記小当たり遊技の終了後には前記小当たり遊技に当選する前の遊技状態に制御するものであり、前記短当たり遊技実行手段による前記短当たり遊技と前記小当たり遊技実行手段による前記小当たり遊技とを同様の態様で行うと共に、前記遊技状態が前記高確率抽選遊技状態であるか、あるいは、前記低確率抽選遊技状態であるかを遊技者に察知され難い察知難状態を導出可能に構成されており、前記低確率抽選遊技状態であることを相対的に高い割合で示す普通演出、及び、前記高確率抽選遊技状態であることを相対的に高い割合で示す特殊演出を記憶する演出記憶手段と、前記演出記憶手段に記憶された前記特殊演出を実行するか否かを決定可能で、前記高確率抽選遊技状態である場合には前記低確率抽選遊技状態である場合よりも高い割合で、前記特殊演出の実行を決定する特殊演出決定手段と、前記短当たり遊技実行手段による前記短当たり遊技、又は、前記小当たり遊技実行手段による前記小当たり遊技において前記開閉装置へ入賞した遊技球である入賞球を案内する案内通路と、該案内通路にて案内される前記入賞球を保留する保留手段と、該保留手段に保留された前記入賞球を用い、前記特殊演出の実行契機となる契機演出を実行する契機演出実行手段と、前記特殊演出決定手段にて前記特殊演出を実行する旨が決定されると、前記契機演出実行手段にて前記契機演出を実行し、当該契機演出を実行契機として前記特殊演出を実行する特殊演出履行手段と、前記特殊演出決定手段にて前記特殊演出を実行しない旨が決定されると、前記契機演出実行手段にて契機演出のみを実行し、前記特殊演出を実行することなく前記普通演出とする特殊演出不履行手段と、を備え、前記特殊演出履行手段は、前記遊技状態が前記高確率抽選遊技状態であるにもかかわらず前記特殊演出不履行手段にて前記普通演出とされた場合、前記特殊演出決定手段とは別に前記特殊演出を実行するか否かを決定し、前記特殊演出の実行に係る特殊演出実行条件が成立したか否かを判定し、当該特殊演出実行条件が成立すると前記特殊演出を実行する特殊演出再判定実行手段を有することを特徴とする。